(57)【要約】【課題】種類が異なって長さ寸法の相違した安定器に交換する場合にも、簡単な作業で対応することができ、同安定器を基板に対し安定した状態で取着固定することができる照明器具を提供する。【解決手段】器具本体Ａとなる基板１の表側に安定器２の巾方向寸法に対応した間隔で対となる固定部３を形成すると共に、この対となる固定部３を安定器２の長手方向に沿い複数対にして同基板１に予め配設しておき、各対の固定部３により安定器２がその巾方向両側で保持されるようにしてこの安定器２を同基板１の表側に取着固定した。【選択図】          図１
2004234966.tif 000002
【特許請求の範囲】
【請求項１】
器具本体となる基板の表側に安定器の巾方向寸法に対応した間隔で対となる固定部を形成すると共に、この対となる固定部を安定器の長手方向に沿い複数対にして同基板に予め配設しておき、各対の固定部により安定器がその巾方向両側で保持されるようにしてこの安定器を同基板の表側に取着固定してなる照明器具。
【請求項２】
固定部を折曲凸片状にして基板の表側に突出形成し、対の固定部で安定器がその巾方向両側から挟持されるようになしたことを特徴とする請求項１記載の照明器具。
【請求項３】
基板の表面に固着される帯板状部材の両端部分に対となる両固定部を折曲形成したことを特徴とする請求項２記載の照明器具。
【請求項４】
基板に切り起こし加工を施して固定部を形成したことを特徴とする請求項２記載の照明器具。
【請求項５】
安定器の巾方向両側部分に折曲凸片状の固定部が着脱自在に係止される係合部を形成したことを特徴とする請求項２〜４のいずれか一つに記載の照明器具。
【請求項６】
対となる両固定部間に架橋固定される略帯板状の保持具を備え、この保持具によって安定器がその巾方向両側及びその間の外周部分で保持されるようになしたことを特徴とする請求項１記載の照明器具。
【請求項７】
対となる両固定部に保持具の両端部分を各々引っ掛け係止させて固定したことを特徴とする請求項６記載の照明器具。
【請求項８】
対となる両固定部の一方に保持具の一端部分を引っ掛け係止させて固定し、他方の固定部に同保持具の他端部分を固定ビスでネジ止め固定したことを特徴とする請求項６記載の照明器具。
【請求項９】
安定器の巾方向両側部分に係合部を形成し、両係合部に着脱自在に係止される折曲係止部を保持具の中程両側に形成したことを特徴とする請求項６〜８のいずれか一つに記載の照明器具。
【請求項１０】
安定器の巾方向両側部分に外側へ突出した取着片部を形成し、両取着片部が各々ネジ止め固定されるように対となる両固定部を貫通孔として形成し、この貫通孔となる両固定部に挿通される固定ビスを介して同安定器がその巾方向両側で保持されるようになしたことを特徴とする請求項１記載の照明器具。
【発明の詳細な説明】
【０００１】
【発明の属する技術分野】
本発明は、器具本体となる基板の表側に安定器が取着される照明器具、詳しくはその安定器の取り付け構造に関するものである。
【０００２】
【従来の技術】
一般に、照明器具の安定器は器具本体内に納められている。しかしながら、照明器具が天井等に埋め込まれた状態に施工される埋め込み型である場合、安定器が器具本体内に納められていると、その点検や交換が困難となる。そこで、器具本体の基板の表側に安定器を取着して、この安定器を覆い隠すように反射板を取り付けた照明器具が提供されている。この場合、器具本体を天井等の施工個所から取り外すことなく反射板を取り外すだけで、安定器のメンテナンス作業を行うことができる。
【０００３】
そして、器具本体の基板の表側に安定器を取着する照明器具では、通常、図１３に示す如く、安定器２の長手方向両端に取着孔１２を配設し、器具本体Ａの基板１に同安定器２の両取着孔１２各々がネジ止めされる固定部３を配設し、両固定部３に両取着孔１２を各々ネジ止め結合させて安定器２を基板１の表側に取着固定している。この場合、両固定部３は貫通孔として形成されており、取着孔１２と同固定部３とに基板１の裏側から固定ビス８を挿通して、この固定ビス８に締付ナット２８を螺合させることにより、両固定部３に両取着孔１２を各々ネジ止め固定している。
【０００４】
したがって、この照明器具にあっては、安定器２が器具本体Ａの基板１の表側に取着固定されるので、同安定器２のメンテナンス作業を表側から行うことができる。しかしながら、この場合、安定器２を交換するために基板１から取り外す際等に、締付ナット２８を固定ビス８から外すと、この固定ビス８が基板１の固定部３から裏側へ抜け外れてしまうことがある。この場合、安定器２を更めて取着する際に、固定ビス８を基板１の裏側から固定部３に挿入してセットし直さなければならず、そのために、器具本体Ａを埋め込み施工された天井等の施工個所から取り外さなければならなくなる。
【０００５】
又、図１４、１５に示す如く、安定器２を器具本体Ａの基板１の表側に取付具２９を介して取着固定する照明器具も知られている（特開２００２−８４３３号公報参照）。これは、図１４に示す如く、安定器２が小型でその長手方向寸法が短く、これに対して器具本体Ａの基板１に予め配設されている両固定部３の間隔寸法が長過ぎる場合に、図１５に示す如く、この間隔寸法に対応した取付具２９を用いて同両固定部３に取着固定するものである。
【０００６】
この場合、取付具２９は断面略コ字型でその底板部分に、対となる取付部３０が安定器２の長手方向両端位置に対応して二対配設されている。又、安定器２にはその長手方向両端部分に、前記二対の各取付部３０に対応して被固定部３１が配設されている。そして、各取付部３０を各被固定部３１に挿通してかしめることにより安定器２の裏側に取付具２９が取着固定され、この取付具２９の底板部分に配設される別の取付部３２を、図１４に示す如く、前記器具本体Ａの基板１に予め配設された両固定部３にかしめる等して取着固定する。おな、器具本体Ａとなる基板１の両端部分には各々で対のソケット１７が配設されており、各ソケット１７は反射板２２を貫通されて、この反射板２２が同基板１の表側に取り付けられることにより、前記取付具２９を介し取着固定された安定器２は覆い隠される。
【０００７】
したがって、この照明器具にあっては、安定器２が取付具２９と一体化されて器具本体Ａの基板１の表側に取着固定されるので、反射板２２を取り外すだけで同安定器２のメンテナンス作業を表側から行うことができる。又、安定器２が小型でその長手方向寸法が短くても、取付具２９を用いて器具本体Ａの基板１の表側に一応は取着固定することができる。しかしながら、この場合、安定器２を基板１に取着固定する際、安定器２と取付具２９とを相互に取着固定して一体化した後、更に、この取付具２９を基板１に取着固定する必要があり、その作業は手間取るものとなる。又、安定器２を交換するために基板１から取り外す際、同基板１に取付具２９が取着固定されたままこれから安定器２だけを取り外すことは困難で、そのため、安定器２を取付具２９と一体化されたまま取り外さなければならず、取り外した後にはこの一体化されたものを、更に、分解しなければならない。
【０００８】
【特許文献１】
特開２００２−８４３３号公報
【０００９】
【発明が解決しようとする課題】
ところで、最近、この種の安定器は技術的な進歩により年々その小型化が図られており、又、安定器はその機能によって長手方向寸法が異なる場合も多い。そして、同じ寸法の安定器を交換する場合は、上記従来の技術に示した照明器具でも対応可能であるが、寸法の異なる安定器に交換する場合には、上記従来の技術に示したいずれの照明器具にあっても、その対応作業が困難となる。特に、図１３に示した照明器具では、器具本体Ａを天井等の施工個所から取り外し、同器具本体Ａの基板１に新たな固定部３として貫通孔を追加加工により形成しなければならず、このような作業を伴う交換は手間がかかって困難となる。
【００１０】
又、図１４、１５に示した照明器具では、上記の如く、安定器２を取付具２９と一体化されたまま取り外す必要があり、取り外した後にはこの一体化されたものを、更に、分解しなければならず、このような作業を伴う交換は手間がかかって困難となる。しかも、この照明器具にあっては、取付具２９と基板１とがその巾方向中央で固定部３に取付部３２をかしめる等して結合されるだけであり、同取付具２９を介して取着固定される安定器２は同基板１に対し安定した状態で取着固定され難いという問題がある。
【００１１】
本発明は、上記従来の技術における問題を悉く解決するために発明されたもので、その課題は、種類が異なってその長さ寸法の相違した安定器に交換する場合にも、簡単な作業で対応することができ、同安定器を基板に対し安定した状態で取着固定することができる照明器具を提供することである。
【００１２】
【課題を解決するための手段】
本発明の請求項１記載の照明器具は、器具本体となる基板の表側に安定器の巾方向寸法に対応した間隔で対となる固定部を形成すると共に、この対となる固定部を安定器の長手方向に沿い複数対にして同基板に予め配設しておき、各対の固定部により安定器がその巾方向両側で保持されるようにしてこの安定器を同基板の表側に取着固定してなる。
【００１３】
したがって、この場合、安定器が器具本体となる基板の表側に取着固定されるので、同安定器のメンテナンス作業を表側から行うことができる。しかも、種類が異なってその長さ寸法の相違した安定器に交換する場合でも、基板の表側に予め配設される固定部により、同安定器を保持させるようにしてこの安定器を同基板の表側に取着固定することができ、これにより、器具本体を天井等の施工個所から取り外すことなく、この器具本体の表側からの簡単な作業で同交換に対応することができる。又、基板に取着固定される安定器は、この安定器の巾方向寸法に対応した間隔で対となって同安定器の長手方向に沿い複数対となる固定部により、その巾方向両側にて保持されるので、安定した状態で取着固定される。
【００１４】
本発明の請求項２記載の照明器具は、上記請求項１記載の照明器具において、固定部を折曲凸片状にして基板の表側に突出形成し、対の固定部で安定器がその巾方向両側から挟持されるようになしたことを特徴としている。
【００１５】
したがって、この場合は特に、基板の表側に突出される対の折曲凸片状に形成された固定部で安定器がその巾方向両側から挟持されるようにして取着固定されるので、同安定器は横ズレなく確実に保持され、その着脱作業もネジ止め等を要さず簡単に行うことができる。
【００１６】
本発明の請求項３記載の照明器具は、上記請求項２記載の照明器具において、基板の表面に固着される帯板状部材の両端部分に対となる両固定部を折曲形成したことを特徴としている。
【００１７】
したがって、この場合は特に、帯板状部材の両端部分に前記対となる両固定部を折曲形成して、この帯板状部材を基板の表面に固着することにより、同対となる固定部を簡単に形成配設することができる。
【００１８】
本発明の請求項４記載の照明器具は、上記請求項２記載の照明器具において、基板に切り起こし加工を施して固定部を形成したことを特徴としている。
【００１９】
したがって、この場合は特に、基板の所定個所に予め切り起こし加工を施すことにより、前記対となる固定部を簡単に形成配設することができる。
【００２０】
本発明の請求項５記載の照明器具は、上記請求項２〜４のいずれか一つに記載の照明器具において、安定器の巾方向両側部分に折曲凸片状の固定部が着脱自在に係止される係合部を形成したことを特徴としている。
【００２１】
したがって、この場合は特に、前記対となる固定部で巾方向両側から挟持される安定器が、その巾方向両側部分に形成される係合部に同固定部が着脱自在に係止されて保持されるので、同安定器は更にズレ動き難くなって安定した状態でより確実に保持され、その着脱作業も支障なく行うことができる。
【００２２】
本発明の請求項６記載の照明器具は、上記請求項１記載の照明器具において、対となる両固定部間に架橋固定される略帯板状の保持具を備え、この保持具によって安定器がその巾方向両側及びその間の外周部分で保持されるようになしたことを特徴としている。
【００２３】
したがって、この場合は特に、略帯板状の保持具が対となる両固定部間に架橋固定され、この保持具によって安定器はその巾方向両側及びその間の外周部分で保持されるので、同安定器を基板の表側に横ズレなくより安定した状態で確実に取着固定することができる。
【００２４】
本発明の請求項７記載の照明器具は、上記請求項６記載の照明器具において、対となる両固定部に保持具の両端部分を各々引っ掛け係止させて固定したことを特徴としている。
【００２５】
したがって、この場合は特に、前記保持具の両端部分が対となる両固定部に各々引っ掛け係止して固定されるので、同保持具の着脱は容易となり、安定器の着脱作業もネジ止め等を要さず簡単に行うことができる。
【００２６】
本発明の請求項８記載の照明器具は、上記請求項６記載の照明器具において、対となる両固定部の一方に保持具の一端部分を引っ掛け係止させて固定し、他方の固定部に同保持具の他端部分を固定ビスでネジ止め固定したことを特徴としている。
【００２７】
したがって、この場合は特に、前記保持具の一端部分を一方の固定部に引っ掛け係止させた状態で、同保持具の他端部分を他方の固定部に固定ビスでネジ止め固定することができるので、この固定ビスによるネジ止め作業は容易である。しかも、このようにして架橋固定された保持具は外れ難く、安定器がより確実に保持される。
【００２８】
本発明の請求項９記載の照明器具は、上記請求項６〜８のいずれか一つに記載の照明器具において、安定器の巾方向両側部分に係合部を形成し、両係合部に着脱自在に係止される折曲係止部を保持具の中程両側に形成したことを特徴としている。
【００２９】
したがって、この場合は特に、前記保持具で巾方向両側及びその間の外周部分で保持される安定器が、その巾方向両側部分に形成される係合部に同保持具の中程両側に形成された折曲係止部が着脱自在に係止されて保持されるので、同安定器は更にズレ動き難くなって安定した状態でより確実に保持され、その着脱作業も同保持具を取り外して支障なく行うことができる。
【００３０】
本発明の請求項１０記載の照明器具は、上記請求項１記載の照明器具において、安定器の巾方向両側部分に外側へ突出した取着片部を形成し、両取着片部が各々ネジ止め固定されるように対となる両固定部を貫通孔として形成し、この貫通孔となる両固定部に挿通される固定ビスを介して同安定器がその巾方向両側で保持されるようになしたことを特徴としている。
【００３１】
したがって、この場合は特に、貫通孔として形成された固定部に固定ビスが挿通され、この固定ビスで安定器の巾方向両側部分に突出した取着片部がネジ止め固定されるので、同安定器はその巾方向両側で各々強固に保持され、基板の表側にズレ動きなくより安定した状態で確実に取着固定される。
【００３２】
【発明の実施の形態】
図１は、本発明の請求項１〜３に対応した第一の実施形態である照明器具を示す。この実施形態の照明器具は、器具本体Ａとなる基板１の表側に安定器２の巾方向寸法に対応した間隔で対となる固定部３を形成すると共に、この対となる固定部３を安定器２の長手方向に沿い複数対（ここでは二対）にして同基板１に予め配設しておき、各対の固定部３により安定器２がその巾方向両側で保持されるようにしてこの安定器２を同基板１の表側に取着固定してなるものである。
【００３３】
更に、この実施形態の照明器具では、固定部３を折曲凸片状にして基板１の表側に突出形成し、対の固定部３で安定器２がその巾方向両側から挟持されるようになしている。又、この場合、基板１の表面に固着される帯板状部材４の両端部分に対となる両固定部３を折曲形成している。
【００３４】
以下、この実施形態の照明器具を、より具体的に説明する。安定器２は断面略コ字型の金属製型材１０とその表側を覆うカバー部材１１とを有し、同金属製型材１０とカバー部材１１とで囲まれるスペースに安定器２となるための回路部品や配線等が内蔵されている。安定器２の長手方向両端ではカバー部材１１の端縁から金属製型材１０の端部が突出し、この突出した金属製型材１０の両端部分には貫通孔として形成された取着孔１２が配設されている。この取着孔１２は、上記図１３で示した従来の照明器具における安定器２を用いたために存在するものであり、同取着孔１２が本発明では不要となる。又、安定器２はその長手方向に直交する断面が、全体として略台形状（厳密には台形の底辺部分に高さが存在して六角形状）に形成されている。
【００３５】
基板１は後記器具本体Ａの中程平坦部分を構成するもので、鋼板等の金属板材料で形成されている。そして、基板１表面の前記安定器２が取着固定される部位の両端付近には、帯板状部材４が各々その長手方向を同安定器２の巾方向となる向きにして配置固定されている。帯板状部材４も基板１と同様に鋼板等の金属板材料で帯板状に形成され、その両端部分に折曲加工が施されて折曲凸片状の固定部３が配設形成されており、この両固定部３が形成された後に、同帯板状部材４は基板１の表面の所定間隔位置に溶接や接着等の固着手段で配設固着される。
【００３６】
又、帯板状部材４の両端部分に形成される両固定部３間の間隔寸法は、前記安定器２の巾方向寸法と略合致されており、各固定部３の先端付近には内側へ略Ｖ字状に折曲突出した係止凸部１３が配設形成されている。この場合、安定器２を対の固定部３間に基板１と対向する方向から差し込んでやると、両固定部３はその弾性に抗して拡開変形され、安定器２の背面が同基板１の表面に帯板状部材４を介して当止された状態で、同対の固定部３はその弾性復元力で縮閉変形され、両固定部３の係止凸部１３が同安定器２の台形角部分に係止されて、この安定器２はその長手方向両端付近で両側の固定部３にて挟持されるようにして同基板１の表面に取着固定される。
【００３７】
ところで、この実施形態の照明器具は、例えば、図２に示す如き構造としてその全体が施工されるものである。この場合、天井Ｂに略矩形状の取付用開口１４が形成され、器具本体Ａは同取付用開口１４内に埋め込まれた状態に施工される。取付用開口１４内には吊り下げ用の取付ボルト１５が垂設されており、又、同取付用開口１４からは外部配線である電源ケーブル１６が導出され、この電源ケーブル１６は器具本体Ａとなる基板１を貫通して端子台１８に接続される。そして、端子台１８から前記安定器２や後記ソケット１７へと電源供給される。
【００３８】
器具本体Ａは下方へ開口した略矩形箱状であり、その長手方向で相対向する両側内面に対のソケット１７が配設されており、同器具本体Ａの底板部分となる基板１の下面には前記安定器２が取着され、この安定器２と接続される端子台１８も同基板１の下面に取着されている。そして、器具本体Ａは前記取付用開口１４に下方から嵌め込まれて施工されるもので、その際、同器具本体Ａの基板１に形成された取付孔１９に前記取付ボルト１５が挿通され、この取付ボルト１５には取付ナット２０が螺合され、この取付ナット２０をワッシャ２１を介し同基板１の下面に対して締め付けることにより、器具本体Ａは天井Ｂ内に埋め込み施工されて吊り下げ固定される。
【００３９】
更に、ここでは、基板１の表側に安定器２及び端子台１８を覆い隠すよう反射板２２を取り外し得るようにして取着し、この反射板２２よりも表側で照明ランプ２３を器具本体Ａに接続保持させている。この場合、反射板２２は断面略Ｖ字状に折曲した長板状に形成されており、基板１の中程部分にその長手方向に沿ってネジ止め等により取着固定されて、前記安定器２及び端子台１８等の電気部品や取付ボルト１５と取付ナット２０との螺合部位を覆い隠すものである。そして、反射板２２の両側各々では直管型の蛍光灯である照明ランプ２３が、前記器具本体Ａに配設されたソケット１７に接続保持されることによって装着される。
【００４０】
又、この実施形態の照明器具は、図３に示す如き構造としてその全体が施工されてもよい。この場合、器具本体Ａは矩形平板状の基板１で形成され、その両側に複数対の取着片２４が突設されている。又、反射板２２は下方へ開口した略矩形箱状に形成され、その底板部分の中程に断面略Ｖ字状に折曲された部分が形成されており、この断面略Ｖ字状に折曲した部分にて前記安定器２及び端子台１８等の電気部品や取付ボルト１５と取付ナット２０との螺合部位が覆い隠されるもので、同反射板２２は天井Ｂの取付用開口１４に下方から嵌め込まれて器具本体Ａに取着固定されるものである。
【００４１】
その際、器具本体Ａとなる基板１の長手方向の両端部分各々で対にして垂設されるソケット１７が反射板２２を貫通してその下方に突設され、この状態で、同反射板２２は前記器具本体Ａの各取着片２４に対してツマミネジ２５で取着固定される。そして、反射板２２の下方に突設された各対のソケット１７に、照明ランプ２３が接続保持されることによって装着される。なお、それ以外の構造は、前記図２に示したものと同様であり、ここではその説明を省略する。
【００４２】
したがって、この実施形態の照明器具においては、安定器２が器具本体Ａとなる基板１の表側に取着固定されるので、反射板２２を同基板１から取り外すことにより、この安定器２のメンテナンス作業を同器具本体Ａの表側から簡単に行うことができる。しかも、種類が異なってその長さ寸法の相違した安定器２に交換する場合であっても、基板１の表側に予め配設される固定部３により、同安定器２を保持させるようにしてこの安定器２を同基板１の表側に取着固定することができ、これにより、器具本体Ａを天井Ｂ等の施工個所から取り外すことなく、この器具本体Ａの表側からの簡単な作業で同交換に対応することができる。
【００４３】
この場合、安定器２が小型或いは大型であってその長さ寸法だけが相違する際に、この長さ寸法の相違に関係なく同安定器２はスムーズに着脱されて容易に交換される。又、基板１に取着固定される安定器２は、この安定器２の巾方向寸法に対応した間隔で対となって同安定器２の長手方向に沿いその両端付近に配設される二対の固定部３により、その巾方向両側にて各対ごとで保持されるため、安定した状態で取着固定される。
【００４４】
更に、この実施形態の照明器具においては、基板１の表側に突出される対の折曲凸片状に形成された固定部３で安定器２がその巾方向両側から挟持されるようにして取着固定されるので、同安定器２は横ズレなく確実に保持され、その着脱作業もネジ止め等を要さず簡単に行うことができる。又、この場合、帯板状部材４の両端部分各々に前記対となる両固定部３を折曲形成して、この帯板状部材４を基板１の表面に固着することにより、同対となる固定部３を簡単に形成配設することができる。
【００４５】
図４は、本発明の請求項１〜３、５に対応した第二の実施形態である照明器具を示す。この実施形態の照明器具では、安定器２の巾方向両側部分に折曲凸片状の固定部３が着脱自在に係止される係合部５を形成している。この場合、係合部５は横長穴形状で安定器２の両側壁外面に形成され、同安定器２の長手方向における前記基板１での固定部３の間隔（前記両帯板状部材４間の間隔）距離に対応する間隔で配設されている。又、各固定部３の中程には、前記係止凸部１３とは別に内側へ略Ｖ字状に折曲突出した係止凸曲部２６が配設形成されており、前記係止凸部１３が安定器２の台形角部分に係止されるだけでなく同係止凸曲部２６が係合部５に係止されて、対となる両固定部３で確実に挟持される。
【００４６】
したがって、この実施形態の照明器具においては、前記対となる固定部３で巾方向両側から挟持される安定器２が、その巾方向両側部分に形成される係合部５に同固定部３の係止凸曲部２６が着脱自在に係止されて保持されるので、同安定器２は更にズレ動き難くなって（特にその長手方向のズレ動きが防止されて）安定した状態でより確実に保持され、その着脱作業も支障なく行うことができる。ただ、この場合には、種類が異なってその長さ寸法の相違する各安定器２に、係合部５を予め同様に配設形成しておく必要がある。
【００４７】
なお、それ以外については、上記第一の実施形態と同様に構成されており、同第一の実施形態におけると同様の作用効果が奏されるので、ここではそれ等の説明を省略する。又、照明器具全体の施工構造としても、上記図２、３のいずれの全体施工構造であってもよいものである。
【００４８】
図５は、本発明の請求項１、２、４、５に対応した第三の実施形態である照明器具を示す。この実施形態の照明器具では、基板１に切り起こし加工を施して各固定部３を形成している。この場合、対となる両固定部３は相互に内側へ折曲して切り起こされている。又、各固定部３は略Ｌ字状に内側へ折曲した突出片状に形成されており、略Ｌ字状の固定部３の先端部分が前記安定器２の両側に配設形成された係合部５に各々着脱自在に係止される。
【００４９】
したがって、この実施形態の照明器具においては、基板１の所定個所に予め切り起こし加工を施すことにより、前記対となる固定部３を簡単に形成配設することができる。なお、それ以外については、上記第二の実施形態と同様に構成されており、同第二の実施形態におけると同様の作用効果が奏されるので、ここではそれ等の説明を省略する。又、照明器具全体の施工構造としても、上記図２、３のいずれの全体施工構造であってもよいものである。
【００５０】
図６は、本発明の請求項１、２、４、５に対応した第四の実施形態である照明器具を示す。この実施形態の照明器具では、基板１に切り起こし加工を施して各固定部３を形成するに際し、対となる両固定部３が相互に外側へ折曲して切り起こされており、この場合、切り起こし加工を施すことで基板１に形成される開口は安定器２が同基板１に取着固定されることで覆い塞がれる。
【００５１】
なお、それ以外については、上記第三の実施形態と同様に構成されており、同第三の実施形態におけると同様の作用効果が奏されるので、ここではそれ等の説明を省略する。又、照明器具全体の施工構造としても、上記図２、３のいずれの全体施工構造であってもよいものである。
【００５２】
図７は、本発明の請求項１、６、７に対応した第五の実施形態である照明器具を示す。この実施形態の照明器具では、対となる両固定部３間に架橋固定される略帯板状の保持具６を備え、この保持具６によって安定器２がその巾方向両側及びその間の外周部分で保持されるようになしている。ここでは、対となる両固定部３に保持具６の両端部分６ａを各々引っ掛け係止させて固定している。
【００５３】
この場合、保持具６は金属製帯板材料を折曲加工して形成されたもので、その中程部分が安定器２の台形部位の外周形状に略沿って折曲し、その両端部分６ａは相反して外側へ突出するように折曲している。又、固定部３は基板１に切り起こし加工を施して形成されたもので、対となる両固定部３が断面略Ｌ字状で相対向するように配設されている。そして、保持具６の両端部分６ａが対となる両固定部３に挿入係止されることにより、この両固定部３に同保持具６の両端部分６ａは各々引っ掛け係止され、この保持具６が基板１の対となる両固定部３間に架橋固定される。
【００５４】
したがって、この実施形態の照明器具においては、略帯板状の保持具６が対となる両固定部３間に架橋固定され、この保持具６によって安定器２はその巾方向両側部分だけでなくその間の外周部分でも保持されるので、同安定器２を基板１の表側に横ズレなくより安定した包持状態にして確実に取着固定することができる。しかも、保持具６の両端部分６ａが対となる両固定部３に各々引っ掛け係止して固定されるので、同保持具６の基板１に対する着脱は容易となり、安定器２の着脱作業もネジ止め等を要さず簡単に行うことができる。
【００５５】
なお、それ以外については、上記第一の実施形態と同様に構成されており、同第一の実施形態におけると同様の作用効果が奏されるので、ここではそれ等の説明を省略する。又、照明器具全体の施工構造としても、上記図２、３のいずれの全体施工構造であってもよいものである。
【００５６】
図８は、本発明の請求項１、６、７、９に対応した第六の実施形態である照明器具を示す。この実施形態の照明器具では、安定器２の巾方向両側部分（両側壁外面）に係合部５を形成し、両係合部５に着脱自在に係止される折曲係止部７を保持具６の中程両側に形成している。
【００５７】
この場合、係合部５は横長穴形状で安定器２の両側の台形傾斜面部位に形成され、同安定器２の長手方向における基板１での固定部３の間隔距離に対応する間隔で配設されている。又、安定器２の両側の台形傾斜面部位と対応する保持具６の中程両側の傾斜辺部位には、内側へ略Ｖ字状に折曲突出した折曲係止部７が配設形成されており、この両折曲係止部７が安定器２の両側の係合部５に係止されることによって、この安定器２は同保持具６で確実に包持され、基板１に対してズレないように取着固定される。
【００５８】
したがって、この実施形態の照明器具においては、前記保持具６で巾方向両側及びその間の外周部分で保持される安定器２が、その巾方向両側部分に形成される係合部５に同保持具６の中程両側に形成された折曲係止部７が着脱自在に係止されて保持されるので、同安定器２は更にズレ動き難くなって（特にその長手方向のズレ動きが防止されて）安定した状態でより確実に保持され、その着脱作業も同保持具６を取り外して支障なく行うことができる。ただ、この場合には、種類が異なってその長さ寸法の相違する各安定器２に、係合部５を予め同様に配設形成しておく必要がある。
【００５９】
なお、それ以外については、上記第五の実施形態と同様に構成されており、同第五の実施形態におけると同様の作用効果が奏されるので、ここではそれ等の説明を省略する。又、照明器具全体の施工構造としても、上記図２、３のいずれの全体施工構造であってもよいものである。
【００６０】
図９は、本発明の請求項１、６、８に対応した第七の実施形態である照明器具を示す。この実施形態の照明器具では、対となる両固定部３の一方３ａ（固定部）に保持具６の一端部分６ａを引っ掛け係止させて固定し、他方の固定部３ｂに同保持具６の他端部分６ｂを固定ビス８でネジ止め固定している。
【００６１】
この場合、保持具６の他端部分６ｂには固定孔２７が形成され、他方の固定部３ｂは基板１に貫通孔として形成されており、タッピングビスでなる固定ビス８が同固定孔２７に挿通され、同基板１の固定部３ｂにねじ込み固定される。又、貫通孔として形成される固定部３ｂをネジ孔としてやれば、固定ビス８を同固定部３ｂに螺合挿入して楽にネジ止め固定することもできる。
【００６２】
したがって、この実施形態の照明器具においては、前記保持具６の一端部分６ａを一方の固定部３ａに引っ掛け係止させた状態で、すなわち、安定器２をこの保持具６を介し基板１に仮保持させた状態で、同保持具６の他端部分６ｂを他方の固定部３ｂに固定ビス８で下方からネジ止め固定することができるので、この固定ビス８によるネジ止め作業は容易である。しかも、このようにして架橋固定された保持具６は外れ難く、安定器２がより確実に保持される。
【００６３】
なお、それ以外については、上記第五の実施形態と同様に構成されており、同第五の実施形態におけると同様の作用効果が奏されるので、ここではそれ等の説明を省略する。又、照明器具全体の施工構造としても、上記図２、３のいずれの全体施工構造であってもよいものである。
【００６４】
図１０は、本発明の請求項１、６、８、９に対応した第八の実施形態である照明器具を示す。この実施形態の照明器具では、安定器２の巾方向両側部分に係合部５を形成し（上記第二の実施形態における安定器２と同じでこれと同様に係合部５が形成されている）、両係合部５に着脱自在に係止される折曲係止部７を保持具６の中程両側に形成している。
【００６５】
この場合、安定器２の両側の直立面部位と対応する保持具６の中程両側の縦辺部位に、内側へ略Ｖ字状に折曲突出した折曲係止部７が配設形成されており、上記第六の実施形態と同様に、両折曲係止部７が安定器２の両側の係合部５に係止されることによって、この安定器２は同保持具６で確実に包持され、基板１に対してズレないように取着固定される。
【００６６】
したがって、この実施形態の照明器具においては、前記保持具６で巾方向両側及びその間の外周部分で保持される安定器２が、その巾方向両側部分に形成される係合部５に同保持具６の中程両側に形成された折曲係止部７が着脱自在に係止されて保持されるので、同安定器２は更にズレ動き難くなって（特にその長手方向のズレ動きが防止されて）安定した状態でより確実に保持され、その着脱作業も同保持具６を取り外して支障なく行うことができる。ただ、この場合には、種類が異なってその長さ寸法の相違する各安定器２に、係合部５を予め同様に配設形成しておく必要がある。
【００６７】
なお、それ以外については、上記第七の実施形態と同様に構成されており、同第七の実施形態におけると同様の作用効果が奏されるので、ここではそれ等の説明を省略する。又、照明器具全体の施工構造としても、上記図２、３のいずれの全体施工構造であってもよいものである。
【００６８】
図１１は、本発明の請求項１、１０に対応した第九の実施形態である照明器具を示す。この実施形態の照明器具では、安定器２の巾方向両側部分に外側へ突出した取着片部９を形成し、両取着片部９が各々ネジ止め固定されるように対となる両固定部３を貫通孔として形成し、この貫通孔となる両固定部３に挿通される固定ビス８（取着片部９を固定ビス８で固定部３にネジ止め固定する構造は、上記第七の実施形態において、保持具６の他端部分６ｂを固定ビス８で他方の固定部３ｂにネジ止め固定する構造と同様である）を介して同安定器２がその巾方向両側で保持されるようになしている。
【００６９】
この場合、安定器２のカバー部材１１は金属板材料で形成され、このカバー部材１１の両側端縁から外側へ折曲する取着片部９が突出延設されている。そして、各取着片部９には固定孔２７が形成されており、固定ビス８は各固定孔２７にその下方表側から挿通されて基板１の固定部３にネジ止め固定される。
【００７０】
したがって、この実施形態の照明器具においては、貫通孔として形成された固定部３に固定ビス８が挿通され、この固定ビス８で安定器２の巾方向両側部分に突出した取着片部９がネジ止め固定されるので、同安定器２はその巾方向両側で各々強固に保持され、基板１の表側にいずれの方向にもズレ動きないようより安定した状態で確実に取着固定される。
【００７１】
なお、それ以外については、上記第一の実施形態と同様に構成されており、同第一の実施形態におけると同様の作用効果が奏されるので、ここではそれ等の説明を省略する。又、照明器具全体の施工構造としても、上記図２、３のいずれの全体施工構造であってもよいものである。
【００７２】
図１２は、本発明の請求項１、１０に対応した第十の実施形態である照明器具を示す。この実施形態の照明器具では、基板１に貫通孔として形成された固定部３にその上方裏側から固定ビス８が挿通され、この固定ビス８は取着片部９の固定孔２７を挿通されて、同固定ビス８に固定ナット２８が螺合され、この固定ナット２８を同取着片部９を介し同基板１の表側下面に対して締め付けることにより、各取着片部９は同固定ビス８によって各固定部３にネジ止め固定される。
【００７３】
この場合、貫通孔として形成される固定部３をネジ孔としてやれば、この固定部３に螺合される固定ビス８は基板１の裏側へ不用意に抜け外れなくなり、安定器２を交換する際に、固定ビス８を同固定部３に挿入してセットし直す必要がなくなる。なお、それ以外については、上記第九の実施形態と同様に構成されており、同第九の実施形態におけると同様の作用効果が奏されるので、ここではそれ等の説明を省略する。又、照明器具全体の施工構造としても、上記図２、３のいずれの全体施工構造であってもよいものである。
【００７４】
【発明の効果】
上述の如く、本発明の請求項１記載の照明器具においては、安定器のメンテナンス作業を表側から行うことができ、しかも、種類が異なってその長さ寸法の相違した安定器に交換する場合でも、器具本体を天井等の施工個所から取り外すことなく、その表側からの簡単な作業で対応することができ、又、同安定器はその巾方向両側で保持されて、基板に対し安定した状態で取着固定される。
【００７５】
又、本発明の請求項２記載の照明器具においては、特に、安定器がその巾方向両側から挟持されるように取着固定されて、同安定器は横ズレなく確実に保持され、その着脱作業もネジ止め等を要さず簡単に行うことができる。
【００７６】
又、本発明の請求項３記載の照明器具においては、特に、帯板状部材の両端部分に前記対となる両固定部を折曲形成して、この帯板状部材を基板の表面に固着することにより、同対となる固定部を簡単に形成配設することができる。
【００７７】
又、本発明の請求項４記載の照明器具においては、特に、基板の所定個所に予め切り起こし加工を施すことにより、前記対となる固定部を簡単に形成配設することができる。
【００７８】
又、本発明の請求項５記載の照明器具においては、特に、前記対となる固定部で巾方向両側から挟持される安定器が係合部に同固定部が着脱自在に係止されて保持され、同安定器は更にズレ動き難くなって安定した状態でより確実に保持され、その着脱作業も支障なく行うことができる。
【００７９】
又、本発明の請求項６記載の照明器具においては、特に、対となる両固定部間に保持具が架橋固定されて、この保持具により安定器はその巾方向両側及びその間の外周部分で保持され、同安定器を基板の表側に横ズレなくより安定した状態で確実に取着固定することができる。
【００８０】
又、本発明の請求項７記載の照明器具においては、特に、前記保持具の両端部分が対となる両固定部に各々引っ掛け係止して固定され、同保持具の着脱は容易となり、安定器の着脱作業もネジ止め等を要さず簡単に行うことができる。
【００８１】
又、本発明の請求項８記載の照明器具においては、特に、前記保持具の一端部分を一方の固定部に引っ掛け係止させた状態で他端部分を他方の固定部に固定ビスでネジ止め固定することができ、このネジ止め作業は容易であり、このように架橋固定された保持具が外れ難くて、安定器はより確実に保持される。
【００８２】
又、本発明の請求項９記載の照明器具においては、特に、前記巾方向両側及びその間の外周部分で保持される安定器が係合部に保持具の折曲係止部が着脱自在に係止されて保持され、同安定器は更にズレ動き難くなって安定した状態でより確実に保持され、その着脱作業も支障なく行うことができる。
【００８３】
又、本発明の請求項１０記載の照明器具においては、特に、固定部に挿通される固定ビスで取着片部がネジ止め固定されて、安定器はその巾方向両側で各々強固に保持され、ズレ動きなくより安定した状態で確実に取着固定される。
【図面の簡単な説明】
【図１】本発明の第一の実施形態である照明器具の要部を示しており、（ａ）は分解斜視図、（ｂ）は長手方向からみた側面図。
【図２】同照明器具の全体構造を例示する分解斜視図。
【図３】同照明器具の異なる全体構造を例示する分解斜視図。
【図４】本発明の第二の実施形態である照明器具の要部を示しており、（ａ）は分解斜視図、（ｂ）は長手方向からみた側面図。
【図５】本発明の第三の実施形態である照明器具の要部を示しており、（ａ）は分解斜視図、（ｂ）は長手方向からみた側面図。
【図６】本発明の第四の実施形態である照明器具の要部を示しており、（ａ）は分解斜視図、（ｂ）は長手方向からみた側面図。
【図７】本発明の第五の実施形態である照明器具の要部を示しており、（ａ）は分解斜視図、（ｂ）は長手方向からみた側面図。
【図８】本発明の第六の実施形態である照明器具の要部を示しており、（ａ）は分解斜視図、（ｂ）は長手方向からみた側面図。
【図９】本発明の第七の実施形態である照明器具の要部を示しており、（ａ）は分解斜視図、（ｂ）は長手方向からみた側面図。
【図１０】本発明の第八の実施形態である照明器具の要部を示しており、（ａ）は分解斜視図、（ｂ）は長手方向からみた側面図。
【図１１】本発明の第九の実施形態である照明器具の要部を示す分解斜視図。
【図１２】本発明の第十の実施形態である照明器具の要部を示す分解斜視図。
【図１３】従来例である照明器具の要部を示す分解斜視図。
【図１４】別の従来例である照明器具の全体構造を示す分解斜視図。
【図１５】同照明器具の要部を示す分解斜視図。
【符号の説明】
１  基板
２  安定器
３  固定部
４  帯板状部材
５  係合部
６  保持具
７  折曲係止部
８  固定ビス
９  取着片部
Ａ  器具本体
Ｂ  天井
【図１】
2004234966.tif 000003
【図２】
2004234966.tif 000004
【図３】
2004234966.tif 000005
【図４】
2004234966.tif 000006
【図５】
2004234966.tif 000007
【図６】
2004234966.tif 000008
【図７】
2004234966.tif 000009
【図８】
2004234966.tif 000010
【図９】
2004234966.tif 000011
【図１０】
2004234966.tif 000012
【図１１】
2004234966.tif 000013
【図１２】
2004234966.tif 000014
【図１３】
2004234966.tif 000015
【図１４】
2004234966.tif 000016
【図１５】
2004234966.tif 000017